(57)【要約】【課題】アクセス権を有する者しか画像データを閲覧することができない画像転送方法を提供する。【解決手段】画像転送装置１と携帯電話機２とが接続された場合、通信部１６と携帯電話機２との間で接続（通信）が確立したか否かを判断する。接続が確立したと判断した場合、画像転送装置１は携帯電話機２に対し、該携帯電話機２に付与された識別情報の取得を要求する信号を送信する。画像転送装置１は、記憶部に予め記憶した識別情報と、取得した識別情報とが一致するか否かを判断し、一致すると判断した場合に、記憶部に記憶した画像データを読み出して前記携帯電話機２へ転送する。【選択図】　　　　図１
2004072636.tif 000002
【特許請求の範囲】
【請求項１】
画像取込部から取り込んだ画像データを記憶部に記憶し、記憶した画像データを読み出して通信部から携帯電話機へ転送する画像転送方法において、
前記通信部と前記携帯電話機との間で接続が確立したか否かを判断するステップと、
接続が確立したと判断した場合に、前記携帯電話機に対し、該携帯電話機に付与された識別情報の取得を要求する要求ステップと、
前記記憶部に予め記憶した識別情報と、前記要求ステップにより取得した識別情報とが一致するか否かを判断する判断ステップと、
該判断ステップにより一致すると判断した場合に、前記記憶部に記憶した画像データを読み出して前記携帯電話機へ転送するステップと
を備えることを特徴とする画像転送方法。
【請求項２】
画像取込部から取り込んだ画像データを記憶部に記憶し、記憶した画像データを読み出して通信部から携帯電話機へ転送する画像転送装置において、
前記通信部と前記携帯電話機との間で接続が確立したか否かを判断する手段と、
接続が確立したと判断した場合に、前記携帯電話機に対し、該携帯電話機に付与された識別情報の取得を要求する要求手段と、
前記記憶部に予め記憶した識別情報と、前記要求手段により取得した識別情報とが一致するか否かを判断する判断手段と、
該判断手段により一致すると判断した場合に、前記記憶部に記憶した画像データを読み出して前記携帯電話機へ転送する手段と
を備えることを特徴とする画像転送装置。
【請求項３】
前記判断手段により一致しないと判断した場合に、前記携帯電話機に対する前記記憶部に記憶した画像データの転送を禁止する手段
を更に備えることを特徴とする請求項２に記載の画像転送装置。
【請求項４】
前記判断手段により一致しないと判断した場合に、前記記憶部に記憶した画像データに対し、画像処理を施す画像処理手段と、
画像処理手段により画像処理が施された画像データを前記携帯電話機へ転送する手段と
を更に備えることを特徴とする請求項２に記載の画像転送装置。
【請求項５】
前記判断手段により一致しないと判断した場合に、一致しないことを示す情報を通知する手段
を更に備えることを特徴とする請求項２乃至４のいずれかに記載の画像転送装置。
【請求項６】
前記識別情報は、携帯電話機の電話番号、電子メールアドレス、暗証番号、機種コード、またはシリアル番号であることを特徴とする請求項２乃至５のいずれかに記載の画像転送装置。
【請求項７】
前記画像処理手段は、記憶部に記憶した画像データに対し、予め記憶部に記憶した文字データまたは画像データを付加または置換するよう構成してあることを特徴とする請求項４に記載の画像転送装置。
【請求項８】
前記画像処理手段は、記憶部に記憶した画像データの解像度を変化させるよう構成してあることを特徴とする請求項４に記載の画像転送装置。
【請求項９】
画像取込部から取り込んだ画像データを記憶部に記憶し、記憶した画像データを読み出して通信部から携帯電話機へ転送するためのコンピュータプログラムにおいて、
コンピュータに、前記通信部と前記携帯電話機との間で接続が確立したか否かを判断させるステップと、
コンピュータに、接続が確立したと判断した場合に、前記携帯電話機に対し、該携帯電話機に付与された識別情報の取得を要求させる要求ステップと、
コンピュータに、前記記憶部に予め記憶した識別情報と、前記要求ステップにより取得させた識別情報とが一致するか否かを判断させる判断ステップと、
コンピュータに、該判断ステップにより一致すると判断した場合に、前記記憶部に記憶した画像データを読み出させて前記携帯電話機へ転送させるステップと
を実行させることを特徴とするコンピュータプログラム。
【請求項１０】
画像取込部から取り込んだ画像データを記憶部に記憶し、記憶した画像データを読み出して通信部から携帯電話機へ転送するためのコンピュータプログラムが記録された記録媒体において、
コンピュータに、前記通信部と前記携帯電話機との間で接続が確立したか否かを判断させるステップと、
コンピュータに、接続が確立したと判断した場合に、前記携帯電話機に対し、該携帯電話機に付与された識別情報の取得を要求させる要求ステップと、
コンピュータに、前記記憶部に予め記憶した識別情報と、前記要求ステップにより取得させた識別情報とが一致するか否かを判断させる判断ステップと、
コンピュータに、該判断ステップにより一致すると判断した場合に、前記記憶部に記憶した画像データを読み出させて前記携帯電話機へ転送させるステップとを実行させるコンピュータプログラムが記録されていることを特徴とするコンピュータでの読み取りが可能な記録媒体。
【発明の詳細な説明】
【０００１】
【発明の属する技術分野】
本発明は、画像取込部から取り込んだ画像データを記憶部に記憶し、記憶した画像データを読み出して通信部から携帯電話機へ転送する画像転送方法、画像転送装置、画像転送装置の機能を実現するコンピュータプログラム及び記録媒体に関し、特に取り込んだ画像を特定の携帯電話機のみに転送することが可能な画像転送方法等に関する。
【０００２】
【従来の技術】
近年、表示面積の大きい液晶画面を持つ携帯電話機が増加していることから、この液晶画面に外部から取り込んだ画像を待ち受け画面として表示させる技術が普及している。またディジタルカメラの普及に伴い、ディジタルカメラと携帯電話とをケーブルで接続し、ディジタルカメラで撮影した画像データを携帯電話機へ転送して、携帯電話機の表示部へ待ち受け画面として表示させる技術も知られている。この他にもハンディスキャナで取り込んだ画像を携帯電話機へ転送して、携帯電話機の表示部へ待ち受け画面として表示させることも提案されている。
【０００３】
【発明が解決しようとする課題】
しかしながら、可搬性に優れるディジタルカメラまたはハンディスキャナ等は紛失する、または盗難される可能性が高く、その場合、第３者に取り込んだ画像データを見られてしまうという問題があった。特にこれらの画像データは、個人情報であるため適切に保護する必要があった。また、セキュリティを高めるために、ディジタルカメラ、ハンディスキャナ等に操作ボタン、表示部を設けパスワードを入力させて認証するということも考えられるがコスト高になるという問題もあった。
【０００４】
本発明は斯かる事情に鑑みてなされたものであり、その目的とするところは、携帯電話機に付与された識別情報と予め登録してある識別情報とを、接続時に認証することにより、アクセス権を有する者しか画像データを閲覧することができない画像転送方法、画像転送装置、画像転送装置の機能を実現するコンピュータプログラム及び記録媒体を提供することにある。
【０００５】
【課題を解決するための手段】
第１発明に係る画像転送方法は、画像取込部から取り込んだ画像データを記憶部に記憶し、記憶した画像データを読み出して通信部から携帯電話機へ転送する画像転送方法において、前記通信部と前記携帯電話機との間で接続が確立したか否かを判断するステップと、接続が確立したと判断した場合に、前記携帯電話機に対し、該携帯電話機に付与された識別情報の取得を要求する要求ステップと、前記記憶部に予め記憶した識別情報と、前記要求ステップにより取得した識別情報とが一致するか否かを判断する判断ステップと、該判断ステップにより一致すると判断した場合に、前記記憶部に記憶した画像データを読み出して前記携帯電話機へ転送するステップとを備えることを特徴とする。
【０００６】
第２発明に係る画像転送装置は、画像取込部から取り込んだ画像データを記憶部に記憶し、記憶した画像データを読み出して通信部から携帯電話機へ転送する画像転送装置において、前記通信部と前記携帯電話機との間で接続が確立したか否かを判断する手段と、接続が確立したと判断した場合に、前記携帯電話機に対し、該携帯電話機に付与された識別情報の取得を要求する要求手段と、前記記憶部に予め記憶した識別情報と、前記要求手段により取得した識別情報とが一致するか否かを判断する判断手段と、該判断手段により一致すると判断した場合に、前記記憶部に記憶した画像データを読み出して前記携帯電話機へ転送する手段とを備えることを特徴とする。
【０００７】
第３発明に係る画像転送装置は、第２発明において、前記判断手段により一致しないと判断した場合に、前記携帯電話機に対する前記記憶部に記憶した画像データの転送を禁止する手段を更に備えることを特徴とする。
【０００８】
第４発明に係る画像転送装置は、第２発明において、前記判断手段により一致しないと判断した場合に、前記記憶部に記憶した画像データに対し、画像処理を施す画像処理手段と、画像処理手段により画像処理が施された画像データを前記携帯電話機へ転送する手段とを更に備えることを特徴とする。
【０００９】
第５発明に係る画像転送装置は、第２発明乃至第４発明のいずれかにおいて、前記判断手段により一致しないと判断した場合に、一致しないことを示す情報を通知する手段を更に備えることを特徴とする。
【００１０】
第６発明に係る画像転送装置は、第２発明乃至第５発明のいずれかにおいて、前記識別情報は、携帯電話機の電話番号、電子メールアドレス、暗証番号、機種コード、またはシリアル番号であることを特徴とする。
【００１１】
第７発明に係る画像転送装置は、第４発明において、前記画像処理手段は、記憶部に記憶した画像データに対し、予め記憶部に記憶した文字データまたは画像データを付加または置換するよう構成してあることを特徴とする。
【００１２】
第８発明に係る画像転送装置は、第４発明において、前記画像処理手段は、記憶部に記憶した画像データの解像度を変化させるよう構成してあることを特徴とする。
【００１３】
第９発明に係るコンピュータプログラムは、画像取込部から取り込んだ画像データを記憶部に記憶し、記憶した画像データを読み出して通信部から携帯電話機へ転送するためのコンピュータプログラムにおいて、コンピュータに、前記通信部と前記携帯電話機との間で接続が確立したか否かを判断させるステップと、コンピュータに、接続が確立したと判断した場合に、前記携帯電話機に対し、該携帯電話機に付与された識別情報の取得を要求させる要求ステップと、コンピュータに、前記記憶部に予め記憶した識別情報と、前記要求ステップにより取得させた識別情報とが一致するか否かを判断させる判断ステップと、コンピュータに、該判断ステップにより一致すると判断した場合に、前記記憶部に記憶した画像データを読み出させて前記携帯電話機へ転送させるステップとを実行させることを特徴とする。
【００１４】
第１０発明に係るコンピュータでの読み取りが可能な記録媒体は、画像取込部から取り込んだ画像データを記憶部に記憶し、記憶した画像データを読み出して通信部から携帯電話機へ転送するためのコンピュータプログラムが記録された記録媒体において、コンピュータに、前記通信部と前記携帯電話機との間で接続が確立したか否かを判断させるステップと、コンピュータに、接続が確立したと判断した場合に、前記携帯電話機に対し、該携帯電話機に付与された識別情報の取得を要求させる要求ステップと、コンピュータに、前記記憶部に予め記憶した識別情報と、前記要求ステップにより取得させた識別情報とが一致するか否かを判断させる判断ステップと、コンピュータに、該判断ステップにより一致すると判断した場合に、前記記憶部に記憶した画像データを読み出させて前記携帯電話機へ転送させるステップとを実行させるコンピュータプログラムが記録されていることを特徴とする。
【００１５】
第１発明、第２発明、第６発明、第９発明、及び第１０発明にあっては、まず、初期登録をするために携帯電話機と画像転送装置とを接続する。接続が確立した場合、画像転送装置から携帯電話機へ携帯電話機に付与された識別情報の取得要求を行う。この識別情報としては、携帯電話機の電話番号、電子メールアドレス、暗証番号、機種コード、またはシリアル番号等である。画像転送装置は、この取得した識別情報をアクセス権利者の情報として記憶部に記憶する。画像を転送する場合、ＣＣＤ（Ｃｈａｒｇｅ　Ｃｏｕｐｌｅｄ　Ｄｅｖｉｃｅ）またはラインイメージセンサ等の画像取込部から画像データを取込、取り込んだ画像データを記憶部に記憶する。
【００１６】
その後、画像転送装置と携帯電話機とが接続された場合、通信部と携帯電話機との間で接続（通信）が確立したか否かを判断する。接続が確立したと判断した場合、画像転送装置は携帯電話機に対し、該携帯電話機に付与された識別情報の取得を要求する信号を送信する。画像転送装置は、記憶部に予め記憶した識別情報と、取得した識別情報とが一致するか否かを判断し、一致すると判断した場合に、記憶部に記憶した画像データを読み出して前記携帯電話機へ転送するようにしたので、アクセス権利者以外の携帯電話機を接続して画像データを表示させることを防止することができる。また、パスワード等を入力する必要がないため、操作ボタン、表示画面などのハードウェアを新たに設けることなく、高セキュリティの画像転送装置を低コストで提供することが可能となる。
【００１７】
第３発明、第４発明、第５発明、第７発明及び第８発明にあっては、画像転送装置は、記憶部に予め記憶した識別情報と、取得した識別情報とが一致するか否かを判断し、一致しないと判断した場合は、一致しない旨を、ＬＥＤを発光させるなどして通知すると共に、画像の転送を禁止、または転送する画像データに画像処理を施す。画像処理としては、例えば解像度を変化させる、予め記憶した画像データまたは文字データを付加、または、取得した画像データから、予め記憶した文字データまたは画像データへ置換する。このように構成したので、第３者が画像転送装置を取得した場合でも、第３者の携帯電話機では画像データを適切に表示することができず、プライバシーを適切に保護することが可能となる。
【００１８】
【発明の実施の形態】
以下本発明を実施の形態を示す図面に基づいて詳述する。
実施の形態１
図１は本発明の概要を示す模式図である。図において１は本発明に係る画像転送装置であり、例えばハンディスキャナ、ディジタルスチルカメラ、ディジタルビデオカメラ等が用いられる。なお、以下では画像転送装置１をハンディスキャナ１であるものとして説明する。ハンディスキャナ１はスキャンモード、転送モードなどを選択するためのモード選択ボタン１３１、並びに、スキャン開始及び携帯電話機２へ取り込んだ画像データを転送する際に用いるスキャン開始／転送ボタン１３２を表面に備える。
【００１９】
ハンディスキャナ１の裏面には、画像取込部１９（図２参照）を構成するイメージセンサ（図２参照）１９１が露出して設けられており、モード選択ボタン１３１をスキャンモードに位置させた後に、スキャン開始／転送ボタン１３２を押下するとイメージセンサを起動して画像の取込が行える。取り込んだ画像データを携帯電話機２へ転送する場合は、ハンディスキャナ１の一端に突設された通信部１６を携帯電話機２に設けられる外部機器Ｉ／Ｆ２６１に嵌合させる。
【００２０】
そして、モード選択ボタン１３１を転送モードへ位置させ、スキャン開始／転送ボタン１３２を押下することにより、携帯電話機２との間で認証を行った後、画像データが転送され、携帯電話機２の表示部２４に、画像データが表示される。なお、本実施の形態においては携帯電話機２とハンディスキャナ１とを通信部１６を介して物理的に接続するようにしたが、これに限らず赤外線通信、またはＢｌｕｅ　Ｔｏｏｔｈ等の通信手段により情報を送受信しても良い。１４はＬＥＤ（Ｌｉｇｈｔ　Ｅｍｉｔｔｉｎｇ　Ｄｉｏｄｅ）、１４１はスピーカであり、各種操作の実行時等に発光または音声を出力する。
【００２１】
図２は本発明に係るハンディスキャナ１のハードウェア構成を示すブロック図である。ハンディスキャナ１は、バス１７を介してＣＰＵ（Ｃｅｎｔｒａｌ　Ｐｒｏｃｅｓｓｉｎｇ　Ｕｎｉｔ）　１１、画像取込部１９，操作部１３，記憶部１５，タイミング発生回路１８，ＲＡＭ（Ｒａｎｄｏｍ　Ａｃｃｅｓｓ　Ｍｅｍｏｒｙ）１２，画像保存メモリ１２０，通信部１６，ＬＥＤ１４，及びスピーカ１４１等が接続されている。
【００２２】
ＣＰＵ１１は、バス１７を介してハンディスキャナ１の上述したようなハードウェア各部と接続されていて、それらを制御すると共に、ＲＡＭ１２に格納された制御プログラム１２Ｐ、画像処理プログラム１２１Ｐに従って、種々のソフトウェア的機能を実行する。制御プログラム１２Ｐは、以下に述べるソフトウェア処理をＣ言語、Ｊａｖａ（登録商標）等のプログラミング言語で記述されている。画像処理プログラム１２１Ｐは、公知の画像処理ソフトウェアと同様の機能をもち、画像データの解像度変換、合成等を実行する。画像取込部１９は、イメージセンサ（ラインイメージセンサ）１９１，イメージセンサ駆動回路１９２、アンプ１９３、及びＡ／Ｄ変換器１９４で構成されている。
【００２３】
操作部１３のスキャン開始／転送ボタン１３２の押下により、イメージセンサ駆動回路１９２からイメージセンサ１９１へ駆動信号が出力され、原稿画像の読み取りが開始される。イメージセンサ１９１の光学系により結像された原稿画像のアナログ画像信号はアンプ１９３により増幅され、Ａ／Ｄ変換器１９４によりディジタルの画像データに変換される。変換後の画像データはＤＲＡＭ（ＤｙｎａｍｉｃＲａｎｄｏｍ　Ａｃｃｅｓｓ　Ｍｅｍｏｒｙ）等の画像保存メモリ１２０に記憶される。タイミング発生回路１８は画像取込部１９、通信部１６等の各ハードウェアの動作タイミング信号を出力する。通信部１６は携帯電話機２との間でコマンドの送受信、画像データの転送等を行うインターフェースであり、通信部１６と携帯電話機２の外部機器Ｉ／Ｆ２６１とはケーブルにより接続される。なお、上述したようにＢｌｕｅ　Ｔｏｏｔｈにより情報を送受信するようにしても良い。この場合、通信部１６に、２．４５ＧＨｚ帯の無線電波を用いて携帯電話機２と通信を行うために、図示しない無線アンテナ部、ＲＦ（Ｒａｄｉｏ　Ｆｒｅｑｕｅｎｃｙ）部、ベースバンド部、及び水晶発振部等を実装すればよい。また赤外線通信により携帯電話機２と情報を送受信するようにしても良く、この場合通信部１６に図示しない赤外線用の信号送受信部を実装するようにすればよい。
【００２４】
通知手段としては、例えば本実施の形態のようにＬＥＤ１４、スピーカ１４１等を用い、各種操作時に発光または音声を出力する。操作部１３は上述したようにモード選択ボタン１３１及びスキャン開始／転送ボタン１３２から構成される。モード選択ボタン１３１には、「電源オフモード」、及び読み取り領域に応じて３種のモード「スキャンモード小」「スキャンモード中」「スキャンモード大」（場合により、「スキャンモード」で代表する）が用意され、さらに携帯電話機２への「転送モード」等が用意されており、ダイヤル式のモード選択ボタン１３１を所定の位置にセットすることにより一のモードを選択できるようになっている。「スキャンモード小」が選択された場合、イメージセンサ駆動回路１９２はイメージセンサ１９１の画像取込領域を予め定められた領域（例えば読み取り幅３ｃｍ）に設定し、スキャン開始／転送ボタン１３２の押下をトリガーにイメージセンサ１９１から取り込まれた画像データを画像保存メモリ１２０に記憶する。
【００２５】
同様に「スキャンモード中」が選択された場合、イメージセンサ駆動回路１９２はイメージセンサ１９１の画像取込領域を予め定められた領域（例えば読み取り幅５ｃｍ（スキャンモード大の場合９ｃｍ））に設定し、スキャン開始／転送ボタン１３２の押下をトリガーにイメージセンサ１９１から取り込まれた画像データを画像保存メモリ１２０に記憶する。ＲＡＭ１２は、ＳＲＡＭ（Ｓｔａｔｉｃ　Ｒａｎｄｏｍ　Ａｃｃｅｓｓ　Ｍｅｍｏｒｙ）またはフラッシュメモリ等で構成され、ソフトウェアの実行時に発生する一時的なデータを記憶する。
【００２６】
記憶部１５には識別情報記憶ファイル１５１及び文字・画像データファイル１５２が記憶されている。識別情報記憶ファイル１５１には携帯電話機２の識別情報が記憶されている。携帯電話機２に付与される識別情報としては、例えば携帯電話機の電話番号、電子メールアドレス、暗証番号、機種コード、またはシリアル番号等が該当する。ここで、暗証番号は携帯電話機２のユーザが、データを保護するために入力する番号であり、例えば４桁の数字により決定される。機種コードとはメーカーが携帯電話機２の種類毎に付与するコードであり例えば「ＦＸ−５０４Ｖ」等が該当する。さらにシリアル番号とは、携帯電話機２それぞれに固有に付与されるプロダクトＩＤであり、例えば１６桁の数字で表される。
【００２７】
識別情報記憶ファイル１５１には、当初識別情報が記憶されていないが、購入時または初期化後に、初期登録する携帯電話機２の識別情報を記憶する。識別情報の記憶後は、携帯電話機２から取得した識別番号と、この記憶した識別情報とが一致するか否かを判断し、その認証状況に応じて画像データを転送する。文字・画像データファイル１５２には画像処理を施す場合に用いる文字データ、または画像データのテンプレートが記憶されている。
【００２８】
以上の構成において、本発明の転送処理を、フローチャートを用いて説明する。図３は識別情報を初期登録する際の処理手順を示すフローチャートである。ハンディスキャナ１の購入時等において、ユーザまたは販売員は、ハンディスキャナ１の通信部１６と携帯電話機２の外部機器Ｉ／Ｆ２６１とを嵌合させて接続する。ハンディスキャナ１のＣＰＵ１１は携帯電話機２に対し通信の開始を要求するため、接続要求信号を送信する（ステップＳ３１）。携帯電話機２の制御部（図示せず）は接続要求信号を受信した場合、ＡＣＫ信号をハンディスキャナ１へ送信する（ステップＳ３２）。ハンディスキャナ１のＣＰＵ１１は接続要求信号の送信後、ハンディスキャナ１と携帯電話機２との間で接続（通信）が確立したか否かを判断する（ステップＳ３３）。
【００２９】
接続が確立していない場合（ステップＳ３３でＮＯ）、以上の処理を繰り返す。一方、携帯電話機２からのＡＣＫ信号を受信して接続が確立したと判断した場合（ステップＳ３３でＹＥＳ）、現在接続されている携帯電話機２の識別情報を取得するために、識別情報の取得要求信号を送信する（ステップＳ３４）。例えば、識別情報を携帯電話機２の電話番号とした場合、ＣＰＵ１１は携帯電話機２との間の通信プロトコルに従い、電話番号が登録されている携帯電話機２に内蔵されるメモリ（図示せず）のアドレス、電話番号の取得要求信号等を送信する。携帯電話機２の制御部は識別情報の取得要求信号を受信した場合、メモリ内に記憶した識別情報を読み出して（ステップＳ３５）、ハンディスキャナ１へ送信する（ステップＳ３６）。ハンディスキャナ１は送信された識別情報を取得、すなわち識別情報を識別情報記憶ファイル１５１に記憶する（ステップＳ３７）。以上の処理により識別情報の初期登録が終了する。
【００３０】
図４乃至図６は認証処理及び転送処理の手順を示すフローチャートである。ユーザは画像を取り込む場合、モード選択ボタン１３１を「スキャンモード」へダイヤルし、スキャン開始／転送ボタン１３２を押下する。この場合、スキャン開始信号がＣＰＵ１１へ出力される。ＣＰＵ１１はスキャン開始信号を受け付けたか否かを判断する（ステップＳ４１）。スキャン開始信号を受け付けていない場合は（ステップＳ４１でＮＯ）、開始信号を受け付けるまで待機する。一方、「スキャンモード」下でスキャン開始／転送ボタン１３２の押下があり、スキャン開始信号を受け付けた場合は（ステップＳ４１でＹＥＳ）、イメージセンサ１９１を駆動して（ステップＳ４２）、画像を取り込む。取り込まれた画像データは、画像データサイズの情報、日付情報等の情報と共に、画像保存メモリ１２０に記憶される（ステップＳ４３）。
【００３１】
続いて、ユーザはハンディスキャナ１の通信部１６と携帯電話機２の外部機器Ｉ／Ｆ２６１とを嵌合させて接続する（ステップＳ４４）。ＣＰＵ１１は携帯電話機２に対し通信の開始を要求するため、接続要求信号を送信する（ステップＳ４５）。携帯電話機２の制御部（図示せず）は接続要求信号を受信した場合、ＡＣＫ信号をハンディスキャナ１へ送信する（ステップＳ４６）。ハンディスキャナ１のＣＰＵ１１は接続要求信号の送信後、ハンディスキャナ１と携帯電話機２との間で接続（通信）が確立したか否かを判断する（ステップＳ４７）。
【００３２】
接続が確立していない場合（ステップＳ４７でＮＯ）、以上の処理を繰り返す。一方、携帯電話機２からのＡＣＫ信号を受信して接続が確立したと判断した場合（ステップＳ４７でＹＥＳ）、現在接続されている携帯電話機２の識別情報を取得するために、識別情報の取得要求信号を送信する（ステップＳ５１）。携帯電話機２の制御部は識別情報の取得要求信号を受信した場合、メモリ（図示せず）内に記憶した識別情報を読み出して（ステップＳ５２）、ハンディスキャナ１へ送信する（ステップＳ５３）。なお、この処理については既に詳述したので詳細な説明は省略する。ハンディスキャナ１は送信された識別情報を取得（ステップＳ５４）、すなわち識別情報をＲＡＭ１２にいったん格納する。
【００３３】
ＣＰＵ１１は識別情報記憶ファイル１５１から初期登録した識別情報を読み出し（ステップＳ５５）、この読み出した初期登録に係る識別情報と、ＲＡＭ１２に格納された取得識別情報とを比較し、一致するか否かを判断する（ステップＳ５６）。識別情報が一致する場合（ステップＳ５６でＹＥＳ）、アクセス権のあるユーザの携帯電話機２であると判断して、画像保存メモリ１２０から取り込んだ画像データを読み出し（ステップＳ５７）、読み出した画像データを携帯電話機２へ転送する（ステップＳ５８）。なお、この画像データの転送は、転送タイミング、転送先のアドレス等、所定のプロトコルに従い転送される。携帯電話機２は転送された画像データを所定のアドレスに記憶する（ステップＳ５９）。ユーザは携帯電話機２を操作して、取り込んだ画像データを待ち受け画面等にセットすることで、取り込んだ画像を楽しむことができる。
【００３４】
ステップＳ５６において、識別情報が一致しないと判断した場合（ステップＳ５６でＮＯ）、アクセス権のない者の携帯電話機２であると判断して、ＣＰＵ１１はＬＥＤ１４を発光させる信号を出力し、また音声信号をスピーカから出力させる（ステップＳ５１０）。そして、ＣＰＵ１１は画像データの読み出しを中断し、画像データの携帯電話機２への転送を禁止する処理を行う（ステップＳ５１１）。これにより、ハンディスキャナ１を紛失した場合等でも、取り込んだ画像を閲覧されることはなく、プライバシーを適切に保護することが可能となる。
【００３５】
なお、ステップＳ５１０後の処理として、画像データの転送を禁止する処理について説明したが、図６に示すような処理を実行しても良い。ステップＳ５１０の処理後、ＣＰＵ１１は取り込んだ画像データを画像保存メモリ１２０から読み出す（ステップＳ６１）。そして、ＣＰＵ１１は画像処理プログラム１２１Ｐを起動し（ステップＳ６２）、読み出した画像データの解像度を変化させる画像処理を行う（ステップＳ６３）。具体的には特定の画素周辺の画素群を平滑化する等の処理を行えばよい。さらに、ＣＰＵ１１は文字・画像データファイル１５２から、予め記憶された文字データ、または画像データを読み出し（ステップＳ６４）、解像度を変化させた画像データに、読み出した文字データ、または画像データを付加または置換する画像処理を行う（ステップＳ６５）。付加する画像処理では、解像度が変化された画像データに、文字データ、または画像データを合成する処理をいい、置換する画像処理では、解像度が変化された画像データまたは、解像度を変化させる前の画像データに代えて、文字データ、または画像データのみを携帯電話機２へ転送する。なお、本実施の形態においては、解像度を変化させる画像処理と、文字データまたは画像データの付加・置換処理とを行っているが、いずれか一方の画像処理のみを行うようにしても良い。また、画像処理は上記形態に限るものではなく、もとの画像データの認識が困難となるようなものであれば他の画像処理を施すようにしても良い。
【００３６】
ＣＰＵ１１はこの画像処理後の画像データを接続される携帯電話機２へ転送する（ステップＳ６６）。携帯電話機２は転送された画像処理後の画像データを所定のアドレスに記憶する（ステップＳ６７）。この場合携帯電話機２の表示部には画像処理後の画像データが表示される。図７は表示部２４に表示される画像データのイメージを示す説明図である。図の例は元の画像データに、文字データを合成する画像処理を施したものである。図に示すように「Ｗａｒｎｉｎｇ」という文字データがもとの画像データに合成されている。これにより、不正に入手した者に対し、注意を喚起することができることができ、また、ハンディスキャナ１を紛失した場合等でも、取り込んだ画像を閲覧されることはなく、プライバシーを適切に保護することが可能となる。なお、本実施の形態においては取り込んだ画像データ上に文字データを合成するようにしているが、予め登録された画像データ、文字データを、取り込んだ画像データに代えて、そのまま転送して表示させるようにしても良い。
【００３７】
実施の形態２
図８は実施の形態２に係るハンディスキャナ１等の概要を示す模式図である。上述した実施の形態１に係るハンディスキャナ１を動作させるためのコンピュータプログラムは、本実施の形態２のようにパーソナルコンピュータ４を介して、ＣＤ−ＲＯＭ、ＭＯ等の可搬型記録媒体で提供することも可能である。さらに、コンピュータプログラムを回線経由で搬送波として伝搬させて提供することも可能である。以下に、その内容を説明する。
【００３８】
図８に示すパーソナルコンピュータ４の図示しない記録媒体読み取り装置に、接続が確立したか否かを判断させ、識別情報の取得を要求させ、一致するか否かを判断させ、データを転送させるプログラムが記録された記録媒体１ａ（ＣＤ−ＲＯＭ、ＭＯ又はＤＶＤ−ＲＯＭ等）を、挿入してＵＳＢ（Ｕｎｉｖｅｒｓａｌ　Ｓｅｒｉａｌ　Ｂｕｓ）ケーブル４１を介して、ハンディスキャナ１の記憶部１５にこのプログラムをインストールする。または、かかるプログラムを、図示しないハンディスキャナ１のモデムを介して外部のコンピュータからダウンロードし、記憶部１５にインストールするようにしても良い。かかるプログラムはハンディスキャナ１のＲＡＭ１２にロードして実行される。これにより、上述のような本発明のハンディスキャナ１として機能する。
【００３９】
本実施の形態２は以上の如き構成としてあり、その他の構成及び作用は実施の形態１と同様であるので、対応する部分には同一の参照番号を付してその詳細な説明を省略する。
【００４０】
【発明の効果】
以上詳述した如く、第１発明、第２発明、第６発明、第９発明、及び第１０発明にあっては、画像転送装置と携帯電話機とが接続された場合、通信部と携帯電話機との間で接続（通信）が確立したか否かを判断し、画像転送装置は携帯電話機に対し、該携帯電話機に付与された識別情報の取得を要求する信号を送信する。画像転送装置は、記憶部に予め記憶した識別情報と、取得した識別情報とが一致するか否かを判断し、一致すると判断した場合に、記憶部に記憶した画像データを読み出して前記携帯電話機へ転送するようにしたので、アクセス権利者以外の携帯電話機を接続して画像データを表示させることを防止することができる。また、パスワード等を入力する必要がないため、操作ボタン、表示画面などのハードウェアを新たに設けることなく、高セキュリティの画像転送装置を低コストで提供することが可能となる。
【００４１】
第３発明、第４発明、第５発明、第７発明及び第８発明にあっては、画像転送装置は、記憶部に予め記憶した識別情報と、取得した識別情報とが一致するか否かを判断し、一致しないと判断した場合は、画像の転送を禁止、または転送する画像データに画像処理を施すように構成したので、第３者が画像転送装置を取得した場合でも、第３者の携帯電話機では画像データを適切に表示することができず、プライバシーを適切に保護することが可能となる等、本発明は優れた効果を奏し得る。
【図面の簡単な説明】
【図１】本発明の概要を示す模式図である。
【図２】本発明に係るハンディスキャナのハードウェア構成を示すブロック図である。
【図３】識別情報を初期登録する際の処理手順を示すフローチャートである。
【図４】認証処理及び転送処理の手順を示すフローチャートである。
【図５】認証処理及び転送処理の手順を示すフローチャートである。
【図６】認証処理及び転送処理の手順を示すフローチャートである。
【図７】表示部に表示される画像データのイメージを示す説明図である。
【図８】実施の形態２に係るハンディスキャナ等の概要を示す模式図である。
【符号の説明】
１　　　画像転送装置（ハンディスキャナ）
１６　　通信部
１３　　操作部
１３１　モード選択ボタン
１３２　スキャン開始／転送ボタン
１４　　ＬＥＤ
１４１　スピーカ
１５　　記憶部
１５１　識別情報記憶ファイル
１５２　文字・画像データファイル
１９　　画像取込部
２　　　携帯電話機
２４　　表示部
４　　　パーソナルコンピュータ
１ａ　　記録媒体
【図１】
2004072636.tif 000003
【図２】
2004072636.tif 000004
【図３】
2004072636.tif 000005
【図４】
2004072636.tif 000006
【図５】
2004072636.tif 000007
【図６】
2004072636.tif 000008
【図７】
2004072636.tif 000009
【図８】
2004072636.tif 000010